(57)【要約】  本発明は、互いの伝送能が異なるＨＴステーションとレガシーステーションとが共存可能な無線ＬＡＮ環境で、それぞれのステーションが正常に媒体をアクセスできるように、キャリアセンシング方法を補完し、データ伝送フレームに対するＡＣＫフレームをこのような無線ＬＡＮ環境に好適に決定するための方法及び装置を提供するためのものであって、無線ＬＡＮ内に存在するステーションの種類を判断し、判断結果によって、無線ＬＡＮで伝送フレームに対するＡＣＫフレームを決定し、決定されたＡＣＫフレームを該当ステーションに通知する過程を通じて行われる。
2008530847.tif 000002
【特許請求の範囲】
【請求項１】
無線ＬＡＮ上で伝送フレームに対する確認信号（ＡＣＫ）フレームを決定する方法において、
前記無線ＬＡＮ内に存在する少なくとも一つのステーションの種類を判断する段階と、
前記判断された少なくとも一つのステーションの種類によって、前記無線ＬＡＮで伝送フレームに対するＡＣＫフレームを決定する段階と、
前記決定されたＡＣＫフレームを前記少なくとも一つのステーションに通知する段階と、を含むことを特徴とする方法。
【請求項２】
前記無線ＬＡＮ上には、データ伝送能の異なるＨＴ（ｈｉｇｈ  ｔｈｒｏｕｇｈｐｕｔ）ステーションとレガシーステーションのうち少なくとも一つが存在し、
前記少なくとも一つのステーションの種類を判断する段階は、前記ＨＴステーションとレガシーステーションのうち、少なくとも一つのステーションの種類を判断する段階を含むことを特徴とする請求項１に記載の方法。
【請求項３】
前記無線ＬＡＮは、インフラストラクチャＢＳＳ（Ｂａｓｉｃ  Ｓｅｒｖｉｃｅ  Ｓｅｔ）またはＩＢＳＳ（Ｉｎｄｅｐｅｎｄｅｎｔ  ＢＳＳ）であることを特徴とする請求項２に記載の方法。
【請求項４】
前記無線ＬＡＮが前記インフラストラクチャＢＳＳであれば、アクセスポイントが、前記インフラストラクチャＢＳＳ内に存在するＨＴステーションとレガシーステーションのうち、少なくとも一つのステーションの種類を判断することを特徴とする請求項３に記載の方法。
【請求項５】
前記無線ＬＡＮが前記ＩＢＳＳであれば、ＩＢＳＳ管理ステーションが、前記ＩＢＳＳ内に存在するＨＴステーションとレガシーステーションのうち、少なくとも一つのステーションの種類を判断することを特徴とする請求項３に記載の方法。
【請求項６】
前記ＡＣＫフレームを決定する段階において、前記無線ＬＡＮ内に前記ＨＴステーションと前記レガシーステーションとが共存すれば、前記ＡＣＫフレームは、レガシーフォーマットを使用することを特徴とする請求項２に記載の方法。
【請求項７】
前記ＡＣＫフレームを決定する段階において、前記無線ＬＡＮ内に前記ＨＴステーションのみが存在すれば、前記ＡＣＫフレームは、ＨＴフォーマットを使用することを特徴とする請求項２に記載の方法。
【請求項８】
前記ＡＣＫフレームを決定する段階において、前記無線ＬＡＮ内に前記レガシーステーションのみが存在すれば、前記ＡＣＫフレームは、レガシーフォーマットを使用することを特徴とする請求項２に記載の方法。
【請求項９】
前記ＡＣＫフレームを決定する段階において、前記無線ＬＡＮ内に前記ＨＴステーションと前記レガシーステーションとが共存すれば、前記ＡＣＫフレームのフォーマットを決定するために、ＨＴフォーマットとレガシーフォーマットとを比較することを特徴とする請求項２に記載の方法。
【請求項１０】
前記比較結果、ＨＴフォーマットの条件が有利であれば、前記ＡＣＫフレームは、ＨＴフォーマットを使用することを特徴とする請求項９に記載の方法。
【請求項１１】
前記ＨＴステーションとレガシーステーションのうち、少なくとも一つのステーションの種類を判断する段階は、
前記ＨＴステーションとレガシーステーションのうち、少なくとも一つのステーションのそれぞれは、前記無線ＬＡＮに合流する時、自身のステーション性能情報を前記アクセスポイントに報告する段階と、
前記ステーション性能情報に基づいて、前記無線ＬＡＮ内に存在するＨＴステーションとレガシーステーションのうち、少なくとも一つのステーションの種類を判断する段階と、を含むことを特徴とする請求項４に記載の方法。
【請求項１２】
前記ＨＴステーションとレガシーステーションのうち、少なくとも一つのステーションの種類を判断する段階は、
前記ＨＴステーションとレガシーステーションのうち、少なくとも一つのステーションのそれぞれは、前記無線ＬＡＮに編成される時、自身のステーション性能情報をＩＢＳＳ管理ステーションに報告する段階と、
前記ステーション性能情報に基づいて、前記無線ＬＡＮ内に存在するＨＴステーションとレガシーステーションのうち、少なくとも一つのステーションの種類を判断する段階と、を含むことを特徴とする請求項５に記載の方法。
【請求項１３】
前記アクセスポイントは、ビーコンを介して前記決定されたＡＣＫフレームを前記無線ＬＡＮ内のＨＴステーションとレガシーステーションのうち、少なくとも一つのステーションに通知することを特徴とする請求項４に記載の方法。
【請求項１４】
前記ビーコンは、前記決定されたＡＣＫフレーム情報を含むことを特徴とする請求項１３に記載の方法。
【請求項１５】
前記ビーコン内に含まれたＡＣＫフレーム情報は、レガシーフォーマットを示す値または特定フォーマットが決定されていないことを示す値を含むことを特徴とする請求項１３に記載の方法。
【請求項１６】
前記無線ＬＡＮ内のＨＴステーションとレガシーステーションのうち、少なくとも一つのステーションの情報要請がある場合、前記アクセスポイントは、プローブ応答を介して、前記決定されたＡＣＫフレーム情報を前記無線ＬＡＮ内のＨＴステーションとレガシーステーションのうち、少なくとも一つのステーションに通知することを特徴とする請求項４に記載の方法。
【請求項１７】
前記プローブ応答は、前記決定されたＡＣＫフレーム情報を含むことを特徴とする請求項１６に記載の方法。
【請求項１８】
前記プローブ応答内に含まれたＡＣＫフレーム情報は、レガシーフォーマットを示す値または特定フォーマットが決定されていないことを示す値を含むことを特徴とする請求項１７に記載の方法。
【請求項１９】
前記ＩＢＳＳ管理ステーションは、ビーコンを介して前記決定されたＡＣＫフレームを前記無線ＬＡＮ内のＨＴステーションとレガシーステーションのうち、少なくとも一つのステーションに通知することを特徴とする請求項５に記載の方法。
【請求項２０】
前記ビーコンは、前記決定されたＡＣＫフレーム情報を含むことを特徴とする請求項１９に記載の方法。
【請求項２１】
前記ビーコン内に含まれたＡＣＫフレーム情報は、レガシーフォーマットを示す値または特定フォーマットが決定されていないことを示す値を含むことを特徴とする請求項２０に記載の方法。
【請求項２２】
前記無線ＬＡＮ内のＨＴステーションとレガシーステーションのうち少なくとも一つのステーションの情報要請がある場合、前記ＩＢＳＳ管理ステーションは、プローブ応答を介して、前記決定されたＡＣＫフレーム情報を前記無線ＬＡＮ内のＨＴステーションとレガシーステーションのうち、少なくとも一つのステーションに通知することを特徴とする請求項５に記載の方法。
【請求項２３】
前記プローブ応答は、前記決定されたＡＣＫフレーム情報を含むことを特徴とする請求項２２に記載の方法。
【請求項２４】
前記プローブ応答内に含まれたＡＣＫフレーム情報は、レガシーフォーマットを示す値または特定フォーマットが決定されていないことを示す値を含むことを特徴とする請求項２３に記載の方法。
【請求項２５】
前記ＨＴステーションは、ＭＩＭＯ（Ｍｕｌｔｉｐｌｅ  Ｉｎｐｕｔ  Ｍｕｌｔｉｐｌｅ  Ｏｕｔｐｕｔ）技術を使用したシステムを含むことを特徴とする請求項２に記載の方法。
【請求項２６】
前記ＨＴステーションは、チャンネルボンディングを使用したシステムを含むことを特徴とする請求項２に記載の方法。
【請求項２７】
前記レガシーステーションは、ＩＥＥＥ  ８０２．１１ａ／ｂ／ｇ規格のうち少なくとも一つに対応するシステムを含むことを特徴とする請求項２に記載の方法。
【請求項２８】
ＢＳＳ内のアクセスポイントにおいて、
前記ＢＳＳ内に存在する少なくとも一つのステーションの種類を判断するための判断部と、
前記判断された少なくとも一つのステーションの種類によって、前記ＢＳＳで伝送フレームに対するＡＣＫフレームを決定するためのＡＣＫフレーム選択部と、
前記ＡＣＫフレーム選択部によって決定されたＡＣＫフレームを前記少なくとも一つのステーションに通知するためのＡＣＫフレーム類型通知部と、を備えることを特徴とするアクセスポイント。
【請求項２９】
前記ＢＳＳ内には、データ伝送能の異なるＨＴステーションとレガシーステーションのうち少なくとも一つが存在し、
前記判断部は、前記ＨＴステーションとレガシーステーションのうち、少なくとも一つのステーションの種類を判断することを特徴とする請求項２８に記載のアクセスポイント。
【請求項３０】
前記ＡＣＫフレーム選択部は、前記ＢＳＳ内に前記ＨＴステーションと前記レガシーステーションとが共存すれば、前記ＡＣＫフレームをレガシーフォーマットと決定することを特徴とする請求項２９に記載のアクセスポイント。
【請求項３１】
前記ＡＣＫフレーム選択部は、前記ＢＳＳ内に前記ＨＴステーションのみが存在すれば、前記ＡＣＫフレームをＨＴフォーマットと決定することを特徴とする請求項２９に記載のアクセスポイント。
【請求項３２】
前記ＡＣＫフレーム選択部は、前記ＢＳＳ内に前記レガシーステーションのみが存在すれば、前記ＡＣＫフレームをレガシーフォーマットと決定することを特徴とする請求項２９に記載のアクセスポイント。
【請求項３３】
前記ＡＣＫフレーム選択部は、前記ＢＳＳ内に前記ＨＴステーションと前記レガシーステーションとが共存すれば、前記ＡＣＫフレームのフォーマットを決定するために、ＨＴフォーマットとレガシーフォーマットとを比較することを特徴とする請求項２９に記載のアクセスポイント。
【請求項３４】
前記比較結果、ＨＴフォーマットの条件が有利であれば、前記ＡＣＫフレームは、ＨＴフォーマットを使用することを特徴とする請求項３３に記載のアクセスポイント。
【請求項３５】
前記ＡＣＫフレーム類型通知部は、ビーコンを介して、前記決定されたＡＣＫフレームを前記無線ＬＡＮ内のＨＴステーションとレガシーステーションのうち、少なくとも一つのステーションに通知することを特徴とする請求項２９に記載のアクセスポイント。
【請求項３６】
前記ビーコンは、前記決定されたＡＣＫフレーム情報を含むことを特徴とする請求項３５に記載のアクセスポイント。
【請求項３７】
前記ビーコン内に含まれたＡＣＫフレーム情報は、レガシーフォーマットを示す値または特定フォーマットが決定されていないことを示す値を含むことを特徴とする請求項３６に記載のアクセスポイント。
【請求項３８】
前記ＢＳＳ内の該当ステーションの情報要請がある場合、前記ＡＣＫフレーム類型通知部は、プローブ応答を介して、前記決定されたＡＣＫフレーム情報を前記ＢＳＳ内のＨＴステーションとレガシーステーションのうち、少なくとも一つのステーションに通知することを特徴とする請求項２９に記載のアクセスポイント。
【請求項３９】
前記プローブ応答は、前記決定されたＡＣＫフレーム情報を含むことを特徴とする請求項３８に記載のアクセスポイント。
【請求項４０】
前記プローブ応答内に含まれたＡＣＫフレーム情報は、レガシーフォーマットを示す値または特定フォーマットが決定されていないことを示す値を含むことを特徴とする請求項３９に記載のアクセスポイント。
【請求項４１】
ＩＢＳＳ内のＩＢＳＳ管理ステーションにおいて、
前記ＩＢＳＳ内に存在する少なくとも一つのステーションの種類を判断するための判断部と、
前記決定された少なくとも一つのステーションの種類によって、前記ＩＢＳＳで伝送フレームに対するＡＣＫフレームを決定するためのＡＣＫフレーム選択部と、
前記ＡＣＫフレーム選択部によって決定されたＡＣＫフレームを前記少なくとも一つのステーションに通知するためのＡＣＫフレーム類型通知部と、を備えることを特徴とするＩＢＳＳ管理ステーション。
【請求項４２】
前記ＩＢＳＳ内には、データ伝送能の異なるＨＴステーションとレガシーステーションのうち少なくとも一つが存在し、
前記判断部は、前記ＨＴステーションとレガシーステーションのうち、少なくとも一つのステーションの種類を判断することを特徴とする請求項４１に記載のＩＢＳＳ管理ステーション。
【請求項４３】
前記ＡＣＫフレーム選択部は、前記ＩＢＳＳ内に前記ＨＴステーションと前記レガシーステーションとが共存すれば、前記ＡＣＫフレームをレガシーフォーマットと決定することを特徴とする請求項４２に記載のＩＢＳＳ管理ステーション。
【請求項４４】
前記ＡＣＫフレーム選択部は、前記ＩＢＳＳ内に前記ＨＴステーションのみが存在すれば、前記ＡＣＫフレームをＨＴフォーマットと決定することを特徴とする請求項４２に記載のＩＢＳＳ管理ステーション。
【請求項４５】
前記ＡＣＫフレーム選択部は、前記ＩＢＳＳ内に前記レガシーステーションのみが存在すれば、前記ＡＣＫフレームをレガシーフォーマットと決定することを特徴とする請求項４２に記載のＩＢＳＳ管理ステーション。
【請求項４６】
前記ＡＣＫフレーム選択部は、前記ＩＢＳＳ内に前記ＨＴステーションと前記レガシーステーションとが共存すれば、前記ＡＣＫフレームのフォーマットを決定するために、ＨＴフォーマットとレガシーフォーマットとを比較することを特徴とする請求項４２に記載のＩＢＳＳ管理ステーション。
【請求項４７】
前記比較結果、ＨＴフォーマットの条件が有利であれば、前記ＡＣＫフレームは、ＨＴフォーマットを使用することを特徴とする請求項４６に記載のＩＢＳＳ管理ステーション。
【請求項４８】
前記ＡＣＫフレーム類型通知部は、ビーコンを介して、前記決定されたＡＣＫフレームを、前記ＨＴステーションとレガシーステーションのうち、少なくとも一つのステーションに通知することを特徴とする請求項４２に記載のＩＢＳＳ管理ステーション。
【請求項４９】
前記ビーコンは、前記決定されたＡＣＫフレーム情報を含むことを特徴とする請求項４８に記載のＩＢＳＳ管理ステーション。
【請求項５０】
前記ビーコン内に含まれたＡＣＫフレーム情報は、レガシーフォーマットを示す値または特定フォーマットが決定されていないことを示す値を含むことを特徴とする請求項４９に記載のＩＢＳＳ管理ステーション。
【請求項５１】
前記ＩＢＳＳ内のＨＴステーションとレガシーステーションのうち、少なくとも一つのステーションの情報要請がある場合、前記ＡＣＫフレーム類型通知部は、プローブ応答を介して、前記決定されたＡＣＫフレーム情報を前記ＩＢＳＳ内のＨＴステーションとレガシーステーションのうち、少なくとも一つのステーションに通知することを特徴とする請求項４２に記載のＩＢＳＳ管理ステーション。
【請求項５２】
前記プローブ応答は、前記決定されたＡＣＫフレーム情報を含むことを特徴とする請求項５１に記載のＩＢＳＳ管理ステーション。
【請求項５３】
前記プローブ応答内に含まれたＡＣＫフレーム情報は、レガシーフォーマットを示す値または特定フォーマットが決定されていないことを示す値を含むことを特徴とする請求項５２に記載のＩＢＳＳ管理ステーション。
【請求項５４】
インフラストラクチャＢＳＳにおいて、
前記インフラストラクチャＢＳＳ内に存在する少なくとも一つのステーションの種類を判断するための判断部、前記判断された少なくとも一つのステーションの種類によって、前記ＢＳＳで伝送フレームに対するＡＣＫフレームを決定するためのＡＣＫフレーム選択部、及び前記ＡＣＫフレーム選択部によって決定されたＡＣＫフレームを前記少なくとも一つのステーションに通知するためのＡＣＫフレーム類型通知部を備えるアクセスポイントと、
前記性能情報を前記アクセスポイントに報告するための手段、及び前記アクセスポイントのＡＣＫフレーム類型通知部から通知されたＡＣＫフレームを受信するための手段を含む前記少なくとも一つのステーションと、を含むことを特徴とするインフラストラクチャＢＳＳ。
【請求項５５】
前記ＩＢＳＳ内には、データ伝送能の異なるＨＴステーションとレガシーステーションのうち少なくとも一つが存在し、
前記判断部は、前記ＨＴステーションとレガシーステーションのうち、少なくとも一つのステーションの種類を判断することを特徴とする請求項５４に記載のインフラストラクチャＢＳＳ。
【請求項５６】
ＩＢＳＳにおいて、
前記ＩＢＳＳ内に存在する少なくとも一つのステーションの種類を判断するための判断部、前記判断された少なくとも一つのステーションの種類によって、前記ＩＢＳＳで伝送フレームに対するＡＣＫフレームを決定するためのＡＣＫフレーム選択部、及び前記ＡＣＫフレーム選択部によって決定されたＡＣＫフレームを前記少なくとも一つのステーションに通知するためのＡＣＫフレーム類型通知部を備えるＩＢＳＳ管理ステーションと、
前記性能情報を前記ＩＢＳＳ管理ステーションに報告するための手段、及び前記ＩＢＳＳ管理ステーションのＡＣＫフレーム類型通知部から通知されたＡＣＫフレームを受信するための手段を含む少なくとも一つのステーションと、を含むことを特徴とするＩＢＳＳ。
【請求項５７】
前記ＩＢＳＳ内には、データ伝送能の異なるＨＴステーションとレガシーステーションのうち少なくとも一つが存在し、
前記判断部は、前記ＨＴステーションとレガシーステーションのうち、少なくとも一つのステーションの種類を判断することを特徴とする請求項５６に記載のＩＢＳＳ。
【請求項５８】
請求項１に記載の方法をコンピュータで実行させるためのプログラムを記録したコンピュータで読み取り可能な記録媒体。
【請求項５９】
前記ＩＢＳＳ内には、データ伝送能の異なるＨＴステーションとレガシーステーションのうち少なくとも一つが存在し、
前記少なくとも一つのステーションの種類を判断する段階は、前記ＨＴステーションとレガシーステーションのうち、少なくとも一つのステーションの種類を判断する段階を含むことを特徴とする請求項５８に記載の記録媒体。
【発明の詳細な説明】
【技術分野】
【０００１】
本発明は、無線ＬＡＮに係り、さらに詳細には、無線ＬＡＮ上で伝送フレームに対するＡＣＫフレーム決定方法及び装置に関する。
【背景技術】
【０００２】
無線ＬＡＮ（Ｗｉｒｅｌｅｓｓ  ＬＡＮ）環境では、ＣＳＭＡ／ＣＡ（Ｃａｒｒｉｅｒ  Ｓｅｎｓｉｎｇ  Ｍｕｌｔｉｐｌｅ  Ａｃｃｅｓｓ  ｗｉｔｈ  Ｃｏｌｌｉｓｉｏｎ  Ａｖｏｉｄａｎｃｅ）方式のＭＡＣ（Ｍｅｄｉｕｍ  Ａｃｃｅｓｓ  Ｃｏｎｔｒｏｌ）を使用する。ＣＳＭＡ／ＣＡとは、ネットワークのケーブルにデータの伝送のない場合でも、衝突を避けるために確認のための信号を伝送し、このような確認信号が衝突なしに伝送されたことを確認すれば、次いでデータを送る方式である。
【０００３】
このようなＣＳＭＡ／ＣＡの原理を簡単に説明すれば、端末は、他の端末がデータ送信中であるか否かの搬送波感知を行って、他の端末が送信中であることが感知されれば待機する。送信開始までの時間としてランダム時間が割り当てられ、再搬送波の感知を行って、他の搬送波がないことを確認した後、データ送信を開始する。
【０００４】
ＣＳＭＡ／ＣＡ方式は、キャリアセンシングのために、物理的キャリアセンシング方法と仮想キャリアセンシング方法とを同時に使用する。
【０００５】
物理的キャリアセンシングは、ＰＨＹ（ｐｈｙｓｉｃａｌ  ｌａｙｅｒ）で特定値以上の受信電力が感知されたか否かを把握して、ＭＡＣに、媒体が“Ｂｕｓｙ”であるか“Ｉｄｌｅ”であるかを知らせてキャリアをセンシングする技法である。
【０００６】
仮想キャリアセンシングは、受信されたＰＰＤＵ（ＰＬＣＰ（Ｐｈｙｓｉｃａｌ  Ｌａｙｅｒ  Ｃｏｎｖｅｒｇｅｎｃｅ  Ｐｒｏｔｏｃｏｌ）  Ｐｒｏｔｏｃｏｌ  Ｄａｔａ  Ｕｎｉｔ）から正確にＭＰＤＵ（ＭＡＸ  Ｐｒｏｔｏｃｏｌ  Ｄａｔａ  Ｕｎｉｔ）を抽出できる場合、このＭＰＤＵのヘッダーフィールドの一つである“Ｄｕｒａｔｉｏｎ／ＩＤ”フィールドを解釈して、媒体使用予定時間の間に仮想に媒体が“Ｂｕｓｙ”であると見なす技法である。これら２種のキャリアセンシング技法を利用して、媒体が“Ｂｕｓｙ”であるか否かを把握して、この期間に媒体にアクセスしない。このうち、仮想キャリアセンシングは、ＭＰＤＵ／ＰＳＤＵ（ＭＡＣ  Ｐｒｏｔｏｃｏｌ  Ｄａｔａ  Ｕｎｉｔ／ＰＨＹ  Ｓｅｒｖｉｃｅ  Ｄａｔａ  Ｕｎｉｔ）がエラーなしに正常に解釈されてこそ、効果的なＣＳＭＡ／ＣＡ適用が可能である。すなわち、ＭＡＣヘッダー値を正常に読み込むことができてはじめて、仮想キャリアセンシングが可能となる。しかし、高速伝送データ率などを使用して伝送した場合、チャンネル状態が不安でエラーが発生するか、または受信側ステーションで該当データ速度を処理できない場合には、受信されたＭＰＤＵ／ＰＳＤＵを解釈できないので、仮想キャリアセンシングができなくて、ＣＳＭＡ／ＣＡ方式が非効率的に動作する。
【０００７】
図１を参照して説明すれば、前記図１のＩＥＥＥ  ８０２．１１ａを基盤にしたレガシー用のＰＰＤＵフレームフォーマットのうち、ＰｒｅａｍｂｌｅとＳＩＧＮＡＬ  Ｆｉｅｌｄとが正常に受信されれば、ＳＩＧＮＡＬ  ＦｉｅｌｄにあるＲＡＴＥとＬＥＮＧＴＨ情報を利用して、ＤＡＴＡ  ＦｉｅｌｄのＤｕｒａｔｉｏｎ情報を予測できるので、ＣＣＡ（Ｃｌｅａｒ  Ｃｈａｎｎｅｌ  Ａｓｓｅｓｓｍｅｎｔ）メカニズムに役立つ。受信中であるＰＰＤＵフレームのＰｒｅａｍｂｌｅとＳＩＧＮＡＬ  Ｆｉｅｌｄとが解釈されたが、ＦＣＳエラーが生じた場合には、ＭＡＣでＤＩＦＳ（ＤＣＦ  Ｉｎｔｅｒ  Ｆｒａｍｅ  Ｓｐａｃｅ、ＩＥＥＥ  ８０２．１１ａの場合３４ｕｓ）ではないＥＩＦＳ（Ｅｘｔｅｎｄｅｄ  Ｉｎｔｅｒ  Ｆｒａｍｅ  Ｓｐａｃｅ、ＩＥＥＥ  ８０２．１１ａの場合９４us）の時間ほどを休んでｂａｃｋｏｆｆする。
【０００８】
図２は、従来のＨＴ（Ｈｉｇｈ  Ｔｈｒｏｕｇｈｐｕｔ）ステーションとレガシーステーションとが共存する無線ＬＡＮ上で、データ伝送及び確認信号（ＡＣＫ）フレーム伝送を示す図である。
【０００９】
一つのＢＳＳ内にＨＴステーションとレガシーステーション（８０２．１１ａ／ｂ／ｇ）とが混在している状況を仮定すれば、レガシーステーションは、ＨＴフレームを解釈できないので、ＭＡＣは、正確な仮想キャリアセンシングができず、物理的キャリアセンシングにのみ依存するようになる。
【００１０】
もし、ＨＴ  ＰＰＤＵフレームフォーマットが、ｐｒｅａｍｂｌｅとＳＩＧＮＡＬ  Ｆｉｅｌｄ形式とをレガシーステーションが理解できるように、レガシー互換に設計されている場合には、ｐｒｅａｍｂｌｅとＳＩＧＮＡＬ  Ｆｉｅｌｄとが解釈されたとしても、データフィールド部分が正確に解釈できない。したがって、ＭＡＣではＦＣＳが発生し、誤ったフレームとして見なして、ＥＩＦＳを適用する。一方、該当データ速度を処理できるステーション（すなわち、ＨＴステーション）は、正確な仮想キャリアセンシングをできるので、正常にＤＩＦＳを適用する。
【００１１】
ＥＩＦＳ＝ＳＩＦＳ＋ＴＡＣＫ（ａｔ  ｌｏｗｅｓｔ  ｄａｔａ  ｒａｔｅ）＋ＤＩＦＳであるので、該当データ速度を処理できない、すなわち、伝送能の低いレガシーステーションは、他のＨＴステーションより媒体アクセスできる優先順位が低くなり、その結果、ＤＣＦ（Ｄｉｓｔｒｉｂｕｔｅｄ  Ｃｏｏｒｄｉｎａｔｉｏｎ  Ｆｕｎｃｔｉｏｎ）で追求するあらゆるステーションの媒体アクセス公平性を確保できないという問題点が生じる。
【００１２】
また、ＩＥＥＥ  ８０２．１１規格では、ＡＣＫまたはＣＴＳ（Ｃｌｅａｒ  ＴｏＳｅｎｄ）のような制御応答フレームは、直前のフレームと同じ速度で伝送しなければならないと規定されているが、ＨＴフレームは、レガシーとは違って、アンテナが２つ以上であるため、もう一つのＰｒｅａｍｂｌｅが追加され、かつ追加ＨＴ  ｓｉｇｎａｌ  ｆｉｅｌｄによるＰＰＤＵフレームのオーバーヘッドが増加して、ＡＣＫのような小さなフレームの場合には、レガシーＰＰＤＵフレームより処理量効率が低いという短所がある。
【発明の開示】
【発明が解決しようとする課題】
【００１３】
本発明は、前記従来の問題点を克服するためのものであって、本発明の目的は、互いの伝送能が異なるＨＴステーションとレガシーステーションとが共存する無線ＬＡＮ環境で、それぞれのステーションが正常に媒体をアクセスできるように、キャリアセンシング方法を補完し、データ伝送フレームに対するＡＣＫフレームをこのような無線ＬＡＮ環境に好適に決定するための方法を提供し、ＨＴ  ＰＰＤＵのオーバーヘッドを減らすことによって、処理量効率を改善することである。
【課題を解決するための手段】
【００１４】
前記本発明の目的を達成するための、本発明によるデータ伝送能の異なるＨＴステーションとレガシーステーションとが共存可能な無線ＬＡＮ上で伝送フレームに対するＡＣＫフレームを決定する方法は、無線ＬＡＮ内に存在するステーションの種類を判断する段階と、判断結果によって、前記無線ＬＡＮで伝送フレームに対するＡＣＫフレームを決定する段階と、前記決定されたＡＣＫフレームを前記無線ＬＡＮ内の該当ステーションに通知する段階とを含むことを特徴とする。
【００１５】
前記本発明の他の目的を達成するための、本発明によるデータ伝送能の異なるＨＴステーションとレガシーステーションとが共存可能なＢＳＳ内のアクセスポイントは、前記ＢＳＳ内に存在するステーションの種類を判断するための判断部と、前記判断部の結果によって、前記ＢＳＳで伝送フレームに対するＡＣＫフレームを決定するためのＡＣＫフレーム選択部と、前記ＡＣＫフレーム選択部によって決定されたＡＣＫフレームを該当ステーションに通知するためのＡＣＫフレーム類型通知部とを備えることを特徴とする。
【００１６】
前記本発明のさらに他の目的を達成するための、本発明によるデータ伝送能の異なるＨＴステーションとレガシーステーションとが共存可能なＩＢＳＳ内のＩＢＳＳ管理ステーションは、前記ＩＢＳＳ内に存在するステーションの種類を判断するための判断部と、前記判断部の結果によって、前記ＩＢＳＳで伝送フレームに対するＡＣＫフレームを決定するためのＡＣＫフレーム選択部と、前記ＡＣＫフレーム選択部によって決定されたＡＣＫフレームを該当ステーションに通知するためのＡＣＫフレーム類型通知部とを備えることを特徴とする。
【００１７】
前記本発明のさらに他の目的を達成するための、本発明によるデータ伝送能の異なるＨＴステーションとレガシーステーションとが共存可能なインフラストラクチャ（ｉｎｆｒａｓｔｒｕｃｔｕｒｅ）ＢＳＳは、前記インフラストラクチャＢＳＳ内に存在するステーションの種類を判断するための判断部と、前記判断部の結果によって、前記ＢＳＳで伝送フレームに対するＡＣＫフレームを決定するためのＡＣＫフレーム選択部と、前記ＡＣＫフレーム選択部によって決定されたＡＣＫフレームを該当ステーションに通知するためのＡＣＫフレーム類型通知部とを備えるアクセスポイント；及び前記ＨＴステーションとレガシーステーションとの性能情報を前記アクセスポイントに報告するための手段と、前記アクセスポイントのＡＣＫフレーム類型通知部から通知されたＡＣＫフレームを受信するための手段とを含むステーションから構成されることを特徴とする。
【００１８】
前記本発明のさらに他の目的を達成するための、本発明によるデータ伝送能の異なるＨＴステーションとレガシーステーションとが共存可能なＩＢＳＳは、前記ＩＢＳＳ内に存在するステーションの種類を判断するための判断部と、前記判断部の結果によって、前記ＩＢＳＳで伝送フレームに対するＡＣＫフレームを決定するためのＡＣＫフレーム選択部と、前記ＡＣＫフレーム選択部によって決定されたＡＣＫフレームを該当ステーションに通知するためのＡＣＫフレーム類型通知部とを備えるＩＢＳＳ管理ステーション；及び前記ＨＴステーションとレガシーステーションとの性能情報を前記アクセスポイントに報告するための手段と前記アクセスポイントのＡＣＫフレーム類型通知部から通知されたＡＣＫフレームを受信するための手段とを含むステーションから構成されることを特徴とする。
【発明の効果】
【００１９】
本発明の無線ＬＡＮで伝送フレームに対するＡＣＫフレーム決定方法及び装置によれば、伝送能の異なるＨＴステーションとレガシーステーションとが共存する無線ＬＡＮ環境でも、それぞれのステーションが正確なキャリアセンシングを可能にし、これにより、媒体アクセスにおける公正性を確保することができる。また、ＨＴ  ＰＰＤＵフレームのオーバーヘッドを減らすことによって、処理量効率も改善される。
【発明を実施するための最良の形態】
【００２０】
以下、本発明の実施形態を添付した図面を参照して説明する。
【００２１】
図３を参照して、ＨＴ用のＰＰＤＵフレームフォーマット３００の構成図を説明すれば、次の通りである。前記ＨＴ用のＰＰＤＵフレームフォーマット３００の前端には、ＳＩＧＮＡＬ  Ｆｉｅｌｄの形式をレガシーステーションが理解できるように、プリアンブルフィールド３１０及びレガシーＰＬＣＰヘッダー３２０を配置し、その後にＨＴシグナルフィールド３３０とデータフィールド３４０とが配置される。そして、２番目のアンテナ以上のアンテナのためのＰＬＣＰプリアンブル３５０とデータフィールド３６０とは、シグナルフィールド３３０の後に配置される。
【００２２】
図４は、本発明によるＨＴステーションとレガシーステーションとが共存する無線ＬＡＮ上で、データ伝送及びＡＣＫフレーム伝送を示す図である。
【００２３】
送信側ＨＴステーションＨＴ  ＳＲＣは、前記図３に示すＨＴ用のＰＰＤＵフレームフォーマットを利用して、データを受信側ＨＴステーションＨＴ  ＤＥＳＴに伝送する。その後、送信側ＨＴステーションと受信側ＨＴステーションとは、それぞれＳＩＦＳ（Ｓｈｏｒｔ  Ｉｎｔｅｒｆｒａｍｅ  Ｓｐａｃｅ）を適用する。ＳＩＦＳ適用後に、受信側ＨＴステーションＨＴ  ＤＥＳＴは、データ受信に対する応答としてＡＣＫフレームをレガシーフォーマットに伝送する。
【００２４】
受信側ＨＴステーションがＡＣＫフレームをレガシーフォーマットに伝送すれば、送信側ＨＴステーションのみならず、他のレガシーステーションも正常にデータフィールドを解釈して、あらゆるステーションがＤＩＦＳ（ＤＣＦ  Ｉｎｔｅｒｆｒａｍｅ  Ｓｐａｃｅ）を適用する。その結果、あらゆるステーションが媒体をアクセスする際、同等の条件で競争することができる。
【００２５】
図５Ａは、アクセスポイント（ＡＰ）を含むインフラストラクチャＢＳＳの概略構成図であり、図５Ｂは、ＡＰを含まないＩＢＳＳ（Ｉｎｄｅｐｅｎｄｅｎｔ  ＢＳＳ）の概略構成図である。
【００２６】
前記図５Ａには、３つのアンテナを有するＨＴステーション、１つのアンテナを有するＨＴステーション、２つのレガシーステーション、及びアクセスポイントを含むインフラストラクチャＢＳＳが示されている。このようなステーションの数及びＨＴステーションのアンテナ数は、状況によって変化でき、図５Ａは、説明のための例に過ぎない。
【００２７】
前記図５Ｂには、２つのアンテナを有するＨＴステーション、１つのアンテナを有するＨＴステーション、及び３つのレガシーステーションから構成されたＩＢＳＳが示され、同様に、このようなステーションの数及びＨＴステーションのアンテナ数は、状況によって変化でき、図５Ｂは、説明のための例に過ぎない。
【００２８】
前記図５Ａ及び図５Ｂに示されたＨＴステーションは、ＭＩＭＯ（Ｍｕｌｔｉｐｌｅ  Ｉｎｐｕｔ  Ｍｕｌｔｉｐｌｅ  Ｏｕｔｐｕｔ）技術を使用したシステムであり、チャンネルボンディングを使用したシステムを含みうる。レガシーステーションは、ＩＥＥＥ  ８０２．１１ａ／ｂ／ｇ規格の一つに対応するシステムを含みうる。
【００２９】
図６は、本発明の一実施形態によるＨＴステーションとレガシーステーションとが共存可能なインフラストラクチャＢＳＳ上で、伝送フレームに対するＡＣＫフレーム決定方法のフローチャートである。
【００３０】
伝送フレームに対するＡＣＫフレームを決定するために、各ステーションは、インフラストラクチャＢＳＳに合流する時、自身の性能情報をＡＰに報告する過程を行う（Ｓ１００）。
【００３１】
ＡＰは、報告されたステーションの性能情報に基づいて、インフラストラクチャＢＳＳ内に存在するステーションの種類を判断する過程を行う（Ｓ２００）。
【００３２】
判断結果、インフラストラクチャＢＳＳ内に存在するステーションの決定された種類によって、伝送フレームに対するＡＣＫフレームを決定する過程を行う（Ｓ３００）。ステーションの種類を判断してＡＣＫフレームを決定する過程は、図８を参照して詳細に後述する。
【００３３】
ＡＰは、決定されたＡＣＫフレームを該当ステーションに通知する過程を行う（Ｓ４００）。ＡＰは、決定されたＡＣＫフレームをビーコンを介して該当ステーションに通知するか、または他のステーションの情報要請があれば、プローブ応答を介して通知する。
【００３４】
図７は、本発明の一実施形態によるＨＴステーションとレガシーステーションとが共存可能なＩＢＳＳ（Ｉｎｄｅｐｅｎｄｅｎｔ  ＢＳＳ）上で、伝送フレームに対するＡＣＫフレーム決定方法のフローチャートである。
【００３５】
伝送フレームに対するＡＣＫフレーム決定するために、各ステーションは、Ｉｎｄｅｐｅｎｄｅｎｔ  ＢＳＳ（ＩＢＳＳ）に編成される時、自身の性能情報をＩＢＳＳを管理するＩＢＳＳ管理ステーションに報告する過程を行う（Ｓ１１０）。
【００３６】
ＩＢＳＳ管理ステーションは、報告されたステーションの性能情報に基づいて、ＩＢＳＳ内に存在するステーションの種類を判断する過程を行う（Ｓ２１０）。
【００３７】
判断結果、ステーションの種類によって伝送フレームに対するＡＣＫフレームを決定する過程を行う（Ｓ３１０）。ステーションの種類を判断してＡＣＫフレームを決定する過程は、図８を参照して詳細に後述する。
【００３８】
ＩＢＳＳ管理ステーションは、決定されたＡＣＫフレームを該当ステーションに通知する過程を行う（Ｓ４１０）。ＩＢＳＳ管理ステーションは、決定されたＡＣＫフレームをビーコンを介して該当ステーションに通知するか、または他のステーションの情報要請があれば、プローブ応答を介して通知する。
【００３９】
図８は、本発明によるＨＴステーションとレガシーステーションとが共存可能な無線ＬＡＮ上で、ステーションの種類を判断して、伝送フレームに対するＡＣＫフレームを決定するための方法の詳細フローチャートである。以下で説明される方法は、インフラストラクチャＢＳＳ及びＩｎｄｅｐｅｎｄｅｎｔ  ＢＳＳに同様に適用されうる。
【００４０】
まず、ＨＴステーションとレガシーステーションとが共存するか否かを判断する（Ｓ８１０）。
【００４１】
判断結果、ＨＴステーションとレガシーステーションとが共存しなければ、レガシーステーションのみが存在するか否かを判断する過程を行う（Ｓ８２０）。
【００４２】
判断結果、レガシーステーションのみが存在する場合には、伝送フレームに対するＡＣＫフレームをレガシーフォーマットと決定する（Ｓ８３０）。もし、ＨＴステーションのみが存在する場合には、伝送フレームに対するＡＣＫフレームをＨＴフォーマットと決定する（Ｓ８４０）。
【００４３】
前記８１０過程に戻って、判断結果、ＨＴステーションとレガシーステーションとが共存する場合には、両者の条件比較を行うかどうかを選択する（Ｓ８５０）。もし、両者の条件比較を行うことを選択すれば、両者の条件を比較した後、有利な条件のフォーマットを伝送フレームに対するＡＣＫフレームと決定し（Ｓ８６０）、両者の条件を比較しないことを選択した場合には、伝送フレームに対するＡＣＫフレームをレガシーフォーマットと決定する（Ｓ８７０）。
【００４４】
図９は、レガシーステーションがインフラストラクチャＢＳＳに合流するか、Ｉｎｄｅｐｅｎｄｅｎｔ  ＢＳＳに編成される時に報告する性能情報の例を示す図である。
【００４５】
レガシーステーションは、インフラストラクチャＢＳＳに合流する時、ＡＰに自身の性能を報告し、Ｉｎｄｅｐｅｎｄｅｎｔ  ＢＳＳに編成される時、ＩＢＳＳ管理ステーションに自身の性能を報告するが、このとき、性能情報は、図９に示す通りであり、これは単に例示しただけのものであり、これと異なる情報を報告してもよい。
【００４６】
このような情報を報告されたＡＰやＩＢＳＳ管理ステーションは、このような情報を活用して、現在無線ＬＡＮ上にどういう種類のステーションが存在しているか分かる。
【００４７】
図１０Ａ及び図１０Ｂは、ＨＴステーションがインフラストラクチャＢＳＳに合流するか、Ｉｎｄｅｐｅｎｄｅｎｔ  ＢＳＳに編成される時に報告する性能情報の例を示す図である。
【００４８】
ＨＴステーションも、インフラストラクチャＢＳＳに合流する時、ＡＰに自身の性能を報告し、Ｉｎｄｅｐｅｎｄｅｎｔ  ＢＳＳに編成される時、ＩＢＳＳ管理ステーションに自身の性能を報告するが、このとき、性能情報は、図１０Ａ及び図１０Ｂに示す通りであり、これは単に例示しただけのものであり、これと異なる情報を報告してもよい。
【００４９】
このような情報を報告されたＡＰやＩＢＳＳ管理ステーションは、このような情報を活用して、現在無線ＬＡＮ上にどういう種類のステーションが存在しているか分かる。
【００５０】
図１１は、ビーコンやプローブ応答を介して無線ＬＡＮ内の該当ステーションに通知されるＡＣＫフレーム情報を示す。前記無線ＬＡＮで伝送フレームに対するＡＣＫフレームを決定した後、決定されたＡＣＫフレームを含むＡＰやＩＢＳＳ管理ステーションは、図１１に示す情報をビーコンやプローブ応答に含めて該当ステーションに通知する。
【００５１】
前記図１１のレガシーＡＣＫフィールドは、”ｌｅｇａｃｙ  ＡＣＫ”と“Ｎｏ  ｐｒｅｆｅｒｅｎｃｅ”とを値として有する。ここで、”ｌｅｇａｃｙ  ＡＣＫ”は、無線ＬＡＮ環境で使用するＡＣＫフレームをレガシーフォーマットと指定するということであり、“Ｎｏ  ｐｒｅｆｅｒｅｎｃｅ”は、特別に指定するＡＣＫフレームがないことを意味する。
【００５２】
もし、”ｌｅｇａｃｙ  ＡＣＫ”フィールド値が設定されていれば、これを受信したステーションは、フレームを送受信する時にレガシーフォーマットのＡＣＫを使用する。
【００５３】
図１２は、本発明のインフラストラクチャＢＳＳの概略構成図を示す図である。
【００５４】
前記インフラストラクチャＢＳＳは、ＡＰ及び複数のステーションから構成され、前記ＡＰは、ステーション種類判断部１０、ＡＣＫフレーム選択部２０、ＡＣＫフレーム類型通知部３０、及びフレーム送受信部４０を備える。そして、前記ステーションは、性能報告部５０及びフレーム送受信部６０を備える。前記ステーションの数は、実施形態によって変化しうる。
【００５５】
前記ステーション種類判断部１０は、インフラストラクチャＢＳＳ内に存在するステーションの種類を判断する機能を行う。
【００５６】
前記ＡＣＫフレーム選択部２０は、前記ステーション種類判断部の結果によって、前記ＢＳＳで伝送フレームに対するＡＣＫフレームをＨＴフォーマットやレガシーフォーマットと決定する。いかなるフォーマットと決定するかは、前記図８のようなアルゴリズムに従う。
【００５７】
前記ＡＣＫフレーム類型通知部３０は、前記ＡＣＫフレーム選択部２０によって決定されたＡＣＫフレームを該当ステーションに通知する。
【００５８】
前記性能報告部５０は、ＨＴステーションまたはレガシーステーションの性能情報を前記アクセスポイントに報告する機能を行う。
【００５９】
図１３は、本発明のＩｎｄｅｐｅｎｄｅｎｔ  ＢＳＳの概略構成図を示す図である。
【００６０】
前記Ｉｎｄｅｐｅｎｄｅｎｔ  ＢＳＳは、ステーション種類判断部１５、１５'、ＡＣＫフレーム選択部２５、２５'、ＡＣＫフレーム類型通知部３５、３５'、フレーム送受信部４５、４５'、及び性能報告部５５、５５'をそれぞれ備えるステーション１及びステーション２から構成される。このようなステーションの数は、実施形態によって変化しうる。前記ステーション種類判断部１５、１５'、ＡＣＫフレーム選択部２５、２５'、ＡＣＫフレーム類型通知部３５、３５'、フレーム送受信部４５、４５'、及び性能報告部５５、５５'は、前記図１２で説明した構成要素と同じ機能を行うので、別途の説明は省略する。
【００６１】
Ｉｎｄｅｐｅｎｄｅｎｔ  ＢＳＳは、前記図１２に示すインフラストラクチャＢＳＳとは違って、別途のＡＰがなく、このようなＡＰの役割は、Ｉｎｄｅｐｅｎｄｅｎｔ  ＢＳＳ内のステーションを管理するステーションが行うが、これはランダムに選択される。
【００６２】
以上、本発明の望ましい実施形態を参照して説明したが、当業者は、特許請求の範囲に記載された本発明の思想及び領域から逸脱しない範囲内で本発明を多様に修正及び変更可能であるということを理解できるであろう。
【図面の簡単な説明】
【００６３】
【図１】従来のＩＥＥＥ  ８０２．１１ａを基盤にしたレガシー用のＰＰＤＵフレームフォーマットの構成図である。
【図２】従来のＨＴステーションとレガシーステーションとが共存する無線ＬＡＮ上で、データ伝送及びＡＣＫフレーム伝送を示す図である。
【図３】本発明のＨＴ用のＰＰＤＵフレームフォーマットの構成図である。
【図４】本発明によるＨＴステーションとレガシーステーションとが共存する無線ＬＡＮ上で、データ伝送及びＡＣＫフレーム伝送を示す図である。
【図５Ａ】ＡＰを含むインフラストラクチャＢＳＳの概略構成図である。
【図５Ｂ】ＡＰを含んでいないＩＢＳＳの概略構成図である。
【図６】本発明の一実施形態によるＨＴステーションとレガシーステーションとが共存可能なインフラストラクチャＢＳＳ上で、伝送フレームに対するＡＣＫフレーム決定方法のフローチャートである。
【図７】本発明の一実施形態によるＨＴステーションとレガシーステーションとが共存可能なＩＢＳＳ上で、伝送フレームに対するＡＣＫフレーム決定方法のフローチャートである。
【図８】本発明によるＨＴステーションとレガシーステーションとが共存可能な無線ＬＡＮ上でステーションの種類を判断して、伝送フレームに対するＡＣＫフレームを決定するための方法の詳細フローチャートである。
【図９】レガシーステーションがインフラストラクチャＢＳＳに合流するか、またはＩｎｄｅｐｅｎｄｅｎｔ  ＢＳＳに編成される時に報告する性能情報の例を示す図である。
【図１０Ａ】ＨＴステーションがインフラストラクチャＢＳＳに合流するか、またはＩｎｄｅｐｅｎｄｅｎｔ  ＢＳＳに編成される時に報告する性能情報の例を示す図である。
【図１０Ｂ】ＨＴステーションがインフラストラクチャＢＳＳに合流するか、またはＩｎｄｅｐｅｎｄｅｎｔ  ＢＳＳに編成される時に報告する性能情報の例を示す図である。
【図１１】ビーコンやプローブ応答を介して無線ＬＡＮ内の該当ステーションに通知されるＡＣＫフレーム情報を示す図である。
【図１２】本発明のインフラストラクチャＢＳＳの概略構成図を示す図である。
【図１３】本発明のＩｎｄｅｐｅｎｄｅｎｔ  ＢＳＳの概略構成図を示す図である。
【図１】
2008530847.tif 000003
【図２】
2008530847.tif 000004
【図３】
2008530847.tif 000005
【図４】
2008530847.tif 000006
【図５Ａ】
2008530847.tif 000007
【図５Ｂ】
2008530847.tif 000008
【図６】
2008530847.tif 000009
【図７】
2008530847.tif 000010
【図８】
2008530847.tif 000011
【図９】
2008530847.tif 000012
【図１０Ａ】
2008530847.tif 000013
【図１０Ｂ】
2008530847.tif 000014
【図１１】
2008530847.tif 000015
【図１２】
2008530847.tif 000016
【図１３】
2008530847.tif 000017
【国際調査報告】
2008530847.tif 000018
2008530847.tif 000019